(57)【要約】    【課題】優れた滑止効果を発揮する釣用靴及びこれに使用される靴底材の提供。    【解決手段】この釣用靴は、靴底材１３を備える。靴底材１３は、フェルトからなり、その上面３９側に取付部材３３が設けられている。この取付部材３３は、面ファスナーとして機能し、靴底材１３は、靴本体に着脱自在に設けられている。靴底材１３に６本の切込４４〜４９が設けられている。切込４４〜４９は、横方向に延びている。切込４４〜４９は、波形に形成されている。各切込４４〜４９の端部５５〜６６は、横方向に沿って真直に延びている。【選択図】図３
2006296624.tif 000002
【特許請求の範囲】
【請求項１】
釣人の足が挿入され得る靴本体と、
当該靴本体の外底面に設けられた靴底材とを有し、
当該靴底材の下面に、端部が横方向に真直に延び且つ中間部が横方向に波形状に延びる切込が設けられている釣用靴。
【請求項２】
上記切込の端部は、靴底材の縁部と直交するように傾斜されている請求項１に記載の釣用靴。
【請求項３】
上記切込の深さ寸法は、上記靴底材の厚さ寸法の６０％〜９５％に設定されている請求項１又は２に記載の釣用靴。
【請求項４】
上記切込は、断面形状がＶ字状の溝からなる請求項１から３のいずれかに記載の釣用靴。
【請求項５】
上記靴底材は、上記靴本体の外底面に着脱自在に設けられている請求項１から４のいずれかに記載の釣用靴。
【請求項６】
釣用靴の靴本体の外底面に設けられる靴底材であって、
下面に、端部が横方向に真直に延び且つ中間部が横方向に波形状に延びる切込が設けられている靴底材。
【請求項７】
上記切込の端部は、当該靴底材の縁部と直交するように傾斜されている請求項６に記載の釣用靴。
【請求項８】
上記切込の深さ寸法は、当該靴底材の厚さ寸法の６０％〜９５％に設定されている請求項６又は７に記載の靴底材。
【請求項９】
上記切込は、断面形状がＶ字状の溝からなる請求項６から８のいずれかに記載の靴底材。
【請求項１０】
上記靴本体の外底面に着脱自在に取り付けられる取付部材が、上面に設けられている請求項６から９のいずれかに記載の靴底材。
【発明の詳細な説明】
【技術分野】
【０００１】
本発明は、釣用靴、特に釣用靴の靴底に使用される靴底材の構造に関するものである。
【背景技術】
【０００２】
例えば、川釣りや磯釣りにおいては、釣人は石や岩（磯）の上を歩行する。このような釣場の石や岩の表面は、一般に濡れていることが多く、またコケやノリ等が付着していることも多い。そのため、釣人が着用する釣用靴の靴底は、歩行の際に滑らないように従来からさまざまな改良が加えられている（例えば、特許文献１〜特許文献８参照）。
【０００３】
具体的には、従来の釣用靴には、（ア）靴底材がフェルトから構成されているもの、（イ）靴底にスパイクピンが設けられているもの、（ウ）靴底に吸盤が設けられているもの、（エ）靴底に波形の溝が設けられているもの等がある。これらの改良が施された釣用靴は、それぞれ一定の条件下（釣場の環境下）においては一定の滑止効果を発揮する。すなわち、例えば磯が平坦な岩からなり、あまり濡れていない場合には、靴底材がフェルトから構成されているものが好ましいし、石や岩に柔らかいコケが生え、常時濡れているような場合には、靴底にスパイクピンが設けられているものが好ましい。
【０００４】
【特許文献１】特開２００５−２７９４３公報
【特許文献２】特開２００２−２３８１６４公報
【特許文献３】特開２００２−２８２００９公報
【特許文献４】特開２００１−１９７９０３公報
【特許文献５】特開平１０−４２９０５号公報
【特許文献６】実開平４−４８０３号公報
【特許文献７】実開平１−１２６１０１号公報
【特許文献８】実開昭６３−１９１９０５号公報
【発明の開示】
【発明が解決しようとする課題】
【０００５】
釣場の環境はさまざまである。釣場に散在する石の表面が滑面である場合や、岩の表面が濡れた粗面である場合もある。また、岩の表面に柔らかいコケが生えている場合や、比較的硬い草が生えている場合もある。そのため、例えば、靴底にスパイクピンが設けられた釣用靴は、粗面の岩場では優れた滑止効果を発揮するが、コケ等が生えている場所では、必ずしも高い滑止効果を発揮することはできなかった。すなわち、単に石や岩との間の摩擦係数の向上を目的として靴底材の構造や靴底材を構成する材料が改良されるだけでは、さまざまな環境に対応して優れた滑止効果を発揮することは困難であった。
【０００６】
本発明は、かかる背景のもとになされたものであって、釣場におけるあらゆる環境下においても優れた滑止効果を発揮する釣用靴及びこれに使用される靴底材を提供することを目的とするものである。
【課題を解決するための手段】
【０００７】
(1) 人間の足（特に足の裏）は、優れた触覚機能を発揮することが知られている。したがって、釣人は、釣用靴を履いた状態であっても自己の足の裏によって釣場に散在する石や岩の状態（形状や表面の状態）を感じ取れることができれば、歩行時に自己の足を接地させようとする石や岩の表面が滑りやすいか否かをある程度把握することができる。そして、釣人は、当該石や岩の表面が滑りやすくなっていることを認知することができれば、自己の足の接地のしかたを工夫して足が滑りにくくすることもできる。本願発明者はこの点に着目し、靴底が所定の可撓性を備えていれば、当該靴を履いた釣人は、自己の足の裏で釣場の環境（滑りやすさ等）を確認することができ、その結果、当該釣用靴が高い滑止効果を発揮し得ると考えた。
【０００８】
(2) そこで、本発明に係る釣用靴は、釣人の足が挿入され得る靴本体と、当該靴本体の外底面に設けられた靴底材とを有し、当該靴底材の下面に、端部が横方向に真直に延び且つ中間部が横方向に波形状に延びる切込が設けられていることを特徴とするものである。
【０００９】
この構成によれば、靴底材に横方向に延びる切込が設けられていることから、この靴底材は、縦方向にきわめて撓みやすい。ここで、「縦方向」とは、当該釣用靴に釣人の足が挿入された状態における当該足の長さ方向（爪先と踵とを結ぶ方向）であり、一方、「横方向」とは、縦方向に対して直交する方向であって、釣人の足の幅方向である。したがって、釣人は、釣用靴を履いた状態であっても足を長さ方向に容易に湾曲させることができ、これにより、釣場の石や岩の表面の状態を認知しやすくなる。
【００１０】
また、上記切込が波形に形成されているから、釣人が歩行したときは、釣用靴の底に波形のパターンが形成される。したがって、靴底材と上記石や岩との間の摩擦係数が向上し、歩行時において高い滑止効果が発揮される。さらに、釣人が歩行したときに、釣用靴に横方向の外力が加わった場合には、上記切込を境界として靴底材が横方向（せん断方向）に変位する。この場合、仮に上記切込が波形ではなく真直に形成されているならば、当該横方向の変位が大きくなり、きわめて大きなせん断応力が発生する。しかし、上記切込が波形に形成されているから、靴底材に上記横方向の外力が加わった場合であっても、当該切込を挟んで対向する面同士が当接し、当該靴底材の横方向の変位が小さくなる。したがって、靴底材に大きな応力が発生することはなく、また、釣人は、悪路であっても歩行しやすくなる。
【００１１】
さらに、上記切込の端部は、上記横方向に沿って真直に延びているから、当該切込の端部の偏摩耗や破壊が防止される。具体的には、上記切込が端部まで波形に形成されているとすれば、当該切込の端部は、靴底材の縁部と鋭角的に交差する。このため、釣人が歩行したときには、上記切込の端部が顕著に偏摩耗し、場合によっては破壊されてしまう。しかし、前述のように、上記切込の端部が真直に形成されることにより、当該切込の端部の偏摩耗等が防止される。
【００１２】
上記切込の端部は、靴底材の縁部と直交するように傾斜されているのが好ましい。この構成では、上記切込が靴底材の縁部と直交するので、釣人が歩行した場合であっても、上記切込の端部の偏摩耗や破壊が確実に防止される。
【００１３】
上記切込の深さ寸法は、上記靴底材の厚さ寸法の６０％〜９５％に設定されているのが好ましい。これにより、靴底材の一定の強度が保たれつつ靴底材が容易に変形することができる。
【００１４】
上記切込は、断面形状がＶ字状の溝から構成されているのが好ましい。Ｖ字状の溝により上記切込が構成されることにより、通常の状態（釣人が歩行せずに直立している状態）においても、靴底材の下面（石や岩との接触面）に開口する溝が形成されることになる。したがって、釣人は、釣用靴を履いた状態で足を長さ方向に沿って内側に容易に湾曲させることができる。すなわち、釣人は、足の裏により上記石や岩を把持するように靴底材を湾曲させることができる。これにより、釣人は、釣場の石や岩の表面の状態をより的確に認知しやすくなる。
【００１５】
上記靴底材は、上記靴本体の外底面に着脱自在に設けられているのが好ましい。これにより、靴底材が摩耗等したときは、釣人は、靴底材のみを交換することができる。
【００１６】
(2) 上記目的が達成されるため、本発明に係る靴底材は、釣用靴の靴本体の外底面に設けられる靴底材であって、下面に、端部が横方向に真直に延び且つ中間部が横方向に波形状に延びる切込が設けられていることを特徴とするものである。
【００１７】
この構成によれば、当該靴底材は、釣用靴の靴本体の外底面に取り付けられ、その状態で釣人は、当該釣用靴を着用する。靴底材の下面に横方向に延びる切込が設けられていることから、この靴底材は、縦方向にきわめて撓みやすい。ここで、「縦方向」及び「横方向」の意義は、前述の通りである。したがって、釣人は、当該靴底材が取り付けられた釣用靴を履いたときに、足を長さ方向に容易に湾曲させることができ、これにより、釣場の石や岩の表面の状態を認知しやすくなる。
【００１８】
また、上記切込が波形に形成されているから、釣人が歩行したときは、靴底材の下面（釣用靴の底）に波形のパターンが形成される。したがって、靴底材と石や岩との間の摩擦係数が向上し、歩行時において高い滑止効果が発揮される。さらに、釣人が歩行した際に釣用靴に横方向の外力が加わった場合には、上記切込を境界として靴底材が横方向（せん断方向）に変位する。この場合、仮に上記切込が波形ではなく真直に形成されているならば、当該横方向の変位が大きくなり、きわめて大きなせん断応力が発生する。しかし、上記切込が波形に形成されているから、靴底材に上記横方向の外力が加わった場合であっても、当該切込を挟んで対向する面同士が当接し、当該靴底材の横方向の変位が小さくなる。したがって、靴底材に大きな応力が発生することはない。また、この靴底材が取り付けられた釣用靴は、釣人にとって履き心地の良いものとなる。
【００１９】
さらに、上記切込の端部は、上記横方向に沿って真直に延びているから、当該切込の端部の偏摩耗や破壊が防止される。具体的には、上記切込が端部まで波形に形成されているとすれば、当該切込の端部は、靴底材の縁部と鋭角的に交差する。このため、釣人が歩行したときには、上記切込の端部が顕著に偏摩耗し、場合によっては破壊されてしまう。しかし、前述のように、上記切込の端部が真直に形成されることにより、当該切込の端部の偏摩耗等が防止される。
【００２０】
上記切込の端部は、当該靴底材の縁部と直交するように傾斜されているのが好ましい。この構成では、上記切込が靴底材の縁部と直交するので、釣人が歩行した場合であっても、上記切込の端部の偏摩耗や破壊が確実に防止される。
【００２１】
上記切込の深さ寸法は、上記靴底材の厚さ寸法の６０％〜９５％に設定されているのが好ましい。これにより、靴底材の一定の強度が保たれつつ靴底材が容易に変形することができる。
【００２２】
上記切込は、断面形状がＶ字状の溝から構成されているのが好ましい。Ｖ字状の溝により上記切込が構成されることにより、通常の状態（釣用靴に靴底材が取り付けられた状態であって、釣人が当該釣用靴を履いて歩行せずに直立している状態）においても、靴底材の下面（石や岩との接触面）に開口する溝が形成されることになる。したがって、釣人は、この靴底材が取り付けられた釣用靴を履いた状態で、足を長さ方向に沿って内側に容易に湾曲させることができる。すなわち、釣人は、足の裏により石や岩を把持するように靴底材を湾曲させることができる。これにより、釣人は、釣場の石や岩の表面の状態をより的確に認知しやすくなる。
【００２３】
上記靴底材の上面に取付部材が設けられているのが好ましい。この取付部材は、上記靴本体の外底面に着脱自在に取り付けられる。これにより、靴底材が摩耗等したときは、釣人は、靴底材のみを交換することができる。
【発明の効果】
【００２４】
本発明によれば、靴底材に上記切込が設けられることによって、靴底が容易に変形するので、釣人は、足を接地させようとする石や岩の表面の状態を自己の足の裏で認知することができる。しかも、上記切込の端部が真直に形成されることにより、靴底材の偏摩耗が防止される。これにより、釣人は、歩行の際に自己の足の接地のしかたを工夫することができ、その結果、この釣用靴は、釣場におけるあらゆる環境下においても優れた滑止効果を発揮すると共に耐用年数も延びるという効果がある。
【発明を実施するための最良の形態】
【００２５】
以下、適宜図面が参照されつつ、好ましい実施形態に基づいて本発明が詳細に説明される。
【００２６】
図１は、本発明の一実施形態に係る釣用靴の斜視図であり、図２は、この釣用靴の要部拡大断面図である。
【００２７】
この釣用靴１０は、例えば川釣り等において釣人が釣り場を安全に歩行等するために着用するものである。本実施形態に係る釣用靴１０の特徴とするところは、釣用靴１０のソール部分の構造である。すなわち、釣用靴１０が後述の靴底材１３を備えることによって、釣り場の歩行における高い滑止効果が発揮されるようになっている。なお、釣人は、左右対称に形成された一対の釣用靴１０を着用するが、説明の簡略化のために、以下では、右脚用の釣用靴１０の構造のついて説明される。
【００２８】
釣用靴１０は、靴本体１１と、靴本体１１の外底面３１に設けられた靴底材１３とを備えている。靴本体１１は、下部にミッドソール部１２を備えており、このミッドソール部１２に靴底材１３が取り付けられている。
【００２９】
靴本体１１は、内布１４と、本体ゴム１５と、補強ゴム１６〜２０と、中敷２１とを有する。
【００３０】
内布１４は、例えばナイロンその他ポリエステル等からなり、靴本体１１の内壁面を構成している。内布１４がナイロンその他ポリエステルにより構成されることによって、釣人にとって、釣用靴１０を履いたときの履き心地が良い。中敷２１は、内布１４の内底部２３に配置されている。内布１４の内底部２３は、釣人が釣用靴１０を履いたときに足の裏部分が載置される載置部を構成している。中敷２１は、例えば、発泡エチレン酢酸ビニル共重合体（発泡ＥＶＡ）、発泡ポリウレタン（発泡ＰＵ）、発泡ポリエチレン（発泡ＰＥ）、スポンジ等により構成されている。このため、釣人が釣用靴１０を履いたときに、当該釣用靴１０が足にフィットし、釣人にとって一層履き心地の良いものとなる。ただし、中敷２１は、省略されていてもよい。
【００３１】
本体ゴム１５は、内布１４の底部を除く外周面を囲繞するように配置されている。本体ゴム１５は、靴本体１１の骨格を形成している。本体ゴム１５としては、例えば、天然ゴム（ＮＲ）、ポリ塩化ビニル（ＰＶＣ）その他合成ゴム等が採用される。補強ゴム１６は、靴本体１１の先端部（爪先側）を被うように配置されており、当該部分を補強している。補強ゴム１６としては、例えば、天然ゴム（ＮＲ）、ポリ塩化ビニル（ＰＶＣ）その他合成ゴム等が採用される。また、補強ゴム１７は、靴本体１１の後端部（踵側）を被うように配置されており、当該部分を補強している。この補強ゴム１７は、特に肉厚部２２を備えている。この肉厚部２２は、釣人が釣用靴１０を履いたときに釣人の踵の後方に該当する部分に設けられており、釣人の踵部分の安全が確保されている。補強ゴム１７としては、例えば、天然ゴム（ＮＲ）、ポリ塩化ビニル（ＰＶＣ）その他合成ゴム等が採用される。
【００３２】
補強ゴム１８は、靴本体１１の底部の近傍に配置され、靴本体１１の周方向に沿って配置されている。つまり、この補強ゴム１８は、靴本体１１の下縁部を囲繞するように配置されており、靴本体１１の先端部及び後端部をさらに補強している。この補強ゴム１８としては、例えば、天然ゴム（ＮＲ）、ポリ塩化ビニル（ＰＶＣ）その他合成ゴム等が採用される。また、補強ゴム１９は、上記補強ゴム１８の外側に配置されている。補強ゴム１９は、靴本体１１の底部の近傍に設けられており、靴本体１１の周方向に沿って配置されている。これにより、補強ゴム１９は、靴本体１１の先端部及び下端部をより一層補強しており、釣用靴１０の耐久性及び安全性が向上されている。この補強ゴム１９としては、例えば、天然ゴム（ＮＲ）、ポリ塩化ビニル（ＰＶＣ）その他合成ゴム等が採用される。さらに、補強ゴム２０は、靴本体１１の上部開口部３６（釣人の脚が挿入される部分）の周縁部に配置されている。この補強ゴム２０は、当該周縁部を補強している。この補強ゴム２０としては、例えば、天然ゴム（ＮＲ）、ポリ塩化ビニル（ＰＶＣ）その他合成ゴム等が採用される。
【００３３】
ミッドソール部１２は、上記内布１４の外側の底面２４に配置されている。ただし、靴本体１１の底面周縁部に補強シート２５が配設されている。このため、ミッドソール部１２は、この補強シート２５を挟んで上記底面２４に固着されている。ミッドソール部１２は、基部２６と、シート部材２７と、クッション部材２８とを備えている。基部２６は、例えば合成ゴム等により構成されており、その外形形状は、上記底面２４の形状に対応している。シート部材２７は、基部２６の上面に配置され、このシート部材２７の上面にクッション部材２８が配置されている。換言すれば、基部２６、シート部材２７及びクッション部材２８は、順に積層されており、これらが一体となって上記内布１４の外側の底面２４に取り付けられている。この基部２６の底面が靴本体１１の外底面３１を構成している。この外底面３１は、後に詳述される靴底材１３が装着されるための凹部３２を備えている。
【００３４】
シート部材２７は、板材からなる。シート部材２７を構成する材料は、例えば、樹脂が含浸された紙材のほか、ラバー、フェルト、プラスチック、金属等が採用され得る。クッション部材２８は、発泡エチレン酢酸ビニル共重合体、発泡合成ゴム、発泡天然ゴム、発泡ウレタン、フェルト材等の発泡成形部材により構成されている。なお、本実施形態では、シート部材２７の上面にクッション部材２８が積層されているが、基部２６の上面にクッション部材２８が配置され、その上面にシート部材２７が配置されていてもよい。ただし、これらシート部材２７及びクッション部材２８は、省略されていてもよい。
【００３５】
図３は、靴底材１３の斜視図である。同図において、靴底材１３の上側の面が当該靴底材１３の下面４０である（図２参照）。
【００３６】
図２及び図３が示すように、靴底材１３は、靴本体１１の外底面３１に着脱可能に取り付けられている。靴底材１３は、取付部材３３を備えている。靴底材１３は、板状に形成されており、その外形形状は、上記靴本体１１の外底面３１に対応するように形成されている。具体的には、靴底材１３の外形形状は、上記外底面３１に設けられた凹部３２にぴったりと嵌め合わされるように形成されている。靴底材１３の肉厚寸法Ｄは、本実施形態では１５ｍｍに設定されている。ただし、この肉厚寸法Ｄは、８．０ｍｍ〜２０．０ｍｍの範囲で適宜設定され得る。靴底材１３は、フェルトを主成分として構成されている。つまり、靴底材１３は、繊維が立体的に且つ方向の規則性なく集合されることによって構成されている。この繊維の種類は、例えばナイロンその他ポリエステル等の合成繊維のほか、やしがら繊維や麻等の天然繊維が採用され得る。また、取付部材３３は、靴底材１３の上面３９に張り付けられている。取付部材３３は、薄肉平板状（シート状）の部材であって、靴底材１３の上面３９（図３では、下側の面）を覆っている。
【００３７】
取付部材３３は、例えば、ナイロンその他ポリエステル等の合成繊維を含む不織布からなる。本実施形態では、この取付部材３３と上記凹部３２の壁面との間に面ファスナー機構が構成されている。すなわち、取付部材３３の表面（図３では、下側の面）では、繊維がループ状に形成されており、上記凹部３２の内面では、繊維がフック状に形成されている。したがって、靴底材１３が上記凹部３２に嵌め込まれたときに、取付部材３３が上記凹部３２の壁面に一定の保持力で着脱自在に係合する。これにより、靴底材１３は、一定の保持力でミッドソール部１２に着脱自在に保持されることになる。もっとも、取付部材３３がループテープから構成され、上記凹部３２に、このループテープと係合するフックテープが設けられていてもよい。
【００３８】
図３が示すように、靴底材１３の下面４０に切込４４〜４９が設けられている。これら切込４４〜４９は、靴底材１３の横方向に延びている。各切込４４〜４９は、横方向に切り込まれることによって構成されており、スリット状に形成されていてもよい。本実施形態では、６本の切込４４〜４９が設けられており、靴底材１３の縦方向に並設されている。ただし、切込の数は特に限定されるものではなく、３本〜１５本の範囲で適宜設けられる。ここで、上記「縦方向」とは、釣人がこの釣用靴１０を履いた状態において当該釣人の足の長さ方向（爪先と踵とを結ぶ方向）であって、図３において、靴底材１３の長手方向である。また、上記「横方向」とは、上記縦方向に対して直交する方向であって、釣人の足の幅方向である。
【００３９】
同図が示すように、各切込４４〜４９は、横方向に延びる波形に形成されている。ただし、本実施形態では、各切込４４〜４９のそれぞれの両端部５５〜６６は、横方向に沿って真直に形成されている。また、各切込４４〜４９の深さ寸法ｄは、本実施形態では、１２ｍｍに設定されている。ただし、この深さ寸法ｄは、靴底材１３の肉厚寸法Ｄの６０％〜９５％の範囲で適宜設定され得る。この深さ寸法ｄは、好ましくは上記肉厚寸法Ｄの８０％〜９５％であり、より好ましくは、９０％〜９５％である。なお、同図では、切込４９についてのみ寸法線が記入されているが、他の切込４４〜４８についても同様である。各切込４４〜４９が波形に形成されていること、各切込４４〜４９の両端部が真直に形成されていること及び各切込４４〜４９の深さ寸法ｄが上記寸法に設定されていることによる作用効果については、後に詳述される。
【００４０】
この釣用靴１０は、概ね次のようにして製造される。釣用靴１０の製造には、足型が用いられる。まず、この足型に上記内布１４が被せられる。この内布１４を被うように上記本体ゴム１５が被せられる。次に、内布１４の底部にクッション部材２８及びシート部材２７が貼り付けられ、さらに、上記補強シート２５及び各補強ゴム１６〜２０が順に貼り付けられる。そして、靴本体１１の底部を被うようにミッドソール部１２の基部２６が貼り付けられる。上記本体ゴム１５、各補強ゴム１６等及び基部２６は、既知の接着剤や加硫処理等によって固着される。中敷２１は、靴本体１１の上部開口部３６から挿入され、靴本体１１の内底部に配置される。また、上記靴底材１３は、予め別部品として組み立てられる。この靴底材１３がミッドソール部１２の凹部３２に嵌め込まれるだけで、上記面ファスナー機構を介してミッドソール部１２に固定される。なお、本実施形態では、靴底材１３は着脱自在に靴本体１１に取り付けられているが、靴底材１３が靴本体１１に固定されていてもよい。
【００４１】
釣人は、自己の足を上記上部開口部３６（図１参照）から挿入することによって、この釣用靴１０を履くことができる。釣人は、この釣用靴１０を着用して釣り場を歩行すると、靴底材１３に上記切込４４〜４９が設けられていることから、図３が示すように、この靴底材１３は、縦方向（矢印４３の方向）にきわめて撓みやすい。そのため、釣人は、釣用靴１０を装着した状態でも、足を容易に反らすことができ、これにより、釣り場に散在する石や岩の表面の状態を自己の足の裏で認知しやすくなる。したがって、釣人は、自己の足の接地のしかたを工夫することができ、しかも、靴底材１３がフェルトからなることと相まって、この釣用靴１０は、釣り場におけるあらゆる環境下においても優れた滑止効果を発揮することができる。
【００４２】
また、上記切込４４〜４９が波形に形成されているから、釣人が歩行したときは、釣用靴１０の底に波形のパターンが形成されると共に、各切込４４〜４９の縁部にエッジ（角部）が形成される。したがって、靴底材１３と石や岩との間の摩擦係数が向上し、歩行時において一層高い滑止効果が発揮される。
【００４３】
ところで、釣人が歩行した際に釣用靴１０の側方で石を踏んでしまった場合等では、この釣用靴１０に横方向の外力が加わることになる。その場合には、上記切込４４〜４９を境界として靴底材１３が横方向（同図において矢印６７で示されるせん断方向）に変位しようとする。そして、仮に上記切込４４〜４９が波形ではなく真直に形成されているならば、当該横方向の変位が大きくなり、靴底材１３にきわめて大きなせん断応力が発生し、破壊される危険もある。しかし、本実施形態では、上記切込４４〜４９が波形に形成されているから、靴底材１３に横方向の外力が加わった場合であっても、各切込４４〜４９を挟んで対向する面同士が当接する。具体的には、切込４９について言えば、対向する面６８、６９が当接し、対向する面７０、７１が当接する。このため、靴底材１３の横方向の変位が小さくなり、したがって、靴底材１３に大きな応力が発生することが防止される。その結果、靴底材１３の大きな変形や破損が防止され、釣人にとって釣用靴１０の履き心地が向上すると共に、釣人は、悪路であっても歩行しやすくなる。
【００４４】
また、特に本実施形態では、各切込４４〜４９の端部５５〜６６は、横方向に沿って真直に延びているので、当該端部５５〜６６の偏摩耗や破壊が防止される。詳述すれば、上記各切込４４〜４９が上記端部５５〜６６まで波形に形成されているとすれば、当該各切込４４〜４９の端部５５〜６６は、靴底材１３の縁部と鋭角的に交差することになる。このため、釣人が歩行したときには、上記各切込４４〜４９の端部５５〜６６が顕著に偏摩耗し、場合によっては破壊されてしまう。しかし、前述のように、各切込４４〜４９の端部５５〜６６が真直に形成されることにより、当該端部５５〜６６の偏摩耗等が防止される。このことは、釣用靴１０ないし靴底材１３の耐用年数が向上するのみならず、釣用靴１０の履き心地がさらに向上するという利点がある。さらに、各切込４４〜４９の深さ寸法ｄが上記寸法に設定されているので、靴底材１３は、上記矢印４３の方向にきわめて容易に変形することができる。特に、上記深さ寸法ｄが上記肉厚寸法Ｄの９０％〜９５％に設定されることにより、靴底材１３の一定の強度（特に、矢印６７に沿うせん断強度）も保たれたうえで、靴底材１３が容易に変形するという利点がある。
【００４５】
次に、本実施形態の第１の変形例について説明される。図４は、本実施形態の第１の変形例に係る靴底材７３の底面図であり、図５は、図４におけるＶ−Ｖ断面図である。
【００４６】
本変形例に係る靴底材７３が上記実施形態に係る靴底材１３と異なるところは、靴底材７３に設けられた切込７４〜７９がＶ字状の溝から構成されている点である。なお、その他の構成については、上記実施形態と同様である。
【００４７】
すなわち、各切込７４〜７９は、断面形状がＶ字状に形成されている。Ｖ字状の溝により各切込７４〜７９が構成されることにより、図４及び図５が示すように、常時において、靴底材７３の下面４０（石や岩との接触面）に開口８０が形成されることになる。この場合、「常時において」とは、釣人が釣用靴１０を履いたまま歩行せずに直立している状態（通常の状態）の意である。常時において上記開口８０が形成されるので、釣人は、釣用靴１０を履いた状態で足を縦方向に沿って内側にも外側にもきわめて容易に湾曲させることができる。すなわち、釣人は、自己の足の裏によって石や岩を把持するように靴底材７３を湾曲させることができる。したがって、釣人は、釣り場の石や岩の表面の状態をより的確に認知することができ、その結果、当該釣用靴１０は、なお一層高い滑止効果を発揮するという利点がある。
【００４８】
さらに、本実施形態の第２の変形例について説明される。図６は、本実施形態の第２の変形例に係る靴底材８３の底面図である。
【００４９】
本変形例に係る靴底材８３が上記実施形態及び第１の変形例に係る靴底材１３、７３と異なるところは、靴底材８３に設けられた切込７４〜７９の端部５５〜６６が横方向に延びつつ所定角度で傾斜されている点である。本変形例では、切込７４〜７９は、上記第１の変形例と同様にＶ字状の溝から構成されている。ただし、この切込７４〜７９は、上記実施形態に係る切込４４〜４９と同様の構成であってもよい。なお、その他の構成については、上記実施形態と同様である。
【００５０】
本変形例では、上記切込７４〜７９の端部５５〜６６は、それぞれ、水平方向に対して異なる角度で傾斜している。このため、各端部５５〜６６は、靴底材８３の縁部８４と直交している。したがって、釣人がこの釣用靴１０を装着し、歩行した場合であっても、上記切込７４〜７９の端部５５〜６６の偏摩耗が確実に防止される。また、上記端部５５〜６６の破壊は、確実に防止される。
【産業上の利用可能性】
【００５１】
本発明は、川釣りや磯釣りに使用される釣用靴に適用され得る。
【図面の簡単な説明】
【００５２】
【図１】図１は、本発明の一実施形態に係る釣用靴の斜視図である。
【図２】図２は、本発明の一実施形態に係る釣用靴の要部拡大断面図である。
【図３】図３は、本発明の一実施形態に係る釣用靴の靴底材の斜視図である。
【図４】図４は、本発明の一実施形態の第１の変形例に係る靴底材の底面図である。
【図５】図５は、図４におけるＶ−Ｖ断面図である。
【図６】図６は、本発明の一実施形態の第２の変形例に係る靴底材の底面図である。
【符号の説明】
【００５３】
１０・・・釣用靴
１１・・・靴本体
１２・・・ミッドソール部
１３・・・靴底材
３１・・・靴本体の外底面
３２・・・凹部
３３・・・取付部材
３９・・・靴底材の上面
４０・・・靴底材の下面
４３・・・矢印
４４〜４９・・・切込
５５〜６６・・・切込の端部
６７・・・矢印
６８・・・対向する面
６９・・・対向する面
７０・・・対向する面
７１・・・対向する面
７３・・・靴底材
７４〜７９・・・切込
８０・・・開口
８３・・・靴底材
８４・・・縁部
【図１】
2006296624.tif 000003
【図２】
2006296624.tif 000004
【図３】
2006296624.tif 000005
【図４】
2006296624.tif 000006
【図５】
2006296624.tif 000007
【図６】
2006296624.tif 000008